(57)【要約】【課題】  パチンコ遊戯盤に取付けるベースのゲートの下方に遊戯球の流れる方向を変える第１、第２の流路変更部を設け、ゲートのガイド孔通過遊戯球が２つの流路変更部で流れる方向を変化して変化に富ませる。【解決手段】  上部に遊戯球が通過するガイド孔２を有するゲート３を設けたベース１のゲート３の下方にガイド孔を通過する遊戯球の流れる方向を変更した遊戯球の流れる方向をさらに変更する第２流路変更部５とを備えたゲート通過遊戯球の球誘導具である。【選択図】        図１
2005111291.tif 000002
【特許請求の範囲】
【請求項１】
上部に遊戯球が通過するガイド孔（２）を有するゲート（３）を設けたベース（１）のゲート（３）の下方にガイド孔（２）を通過する遊戯球の流れる方向を変更する第１流路変更部（４）と、該第１流路変更部（４）で流れる方向を変更した遊戯球の流れる方向をさらに変更する第２流路変更部（５）とを備えたゲート通過遊戯球の球誘導具を設けたことを特徴とするパチンコ機。
【請求項２】
前記ゲート通過遊戯球の球誘導具の第１流路変更部（４）として、ベース（１）のゲート（３）の下方に設けた任意形状の貫通孔（６）にガイド孔（２）を通過する遊戯球の流れを側方へ変更しうる誘導面（７ａ）を設けた誘導体（７）を左向き、又は右向きに向きを変換して嵌合取着しうるようにした請求項１記載のパチンコ機。
【請求項３】
前記ゲート通過遊戯球の球誘導具の第１流路変更部（４）として、ベース（１）のガイド孔（２）の中心線の左又は右に偏位した位置に左右両面を遊戯球を誘導する流路（８ａ）とした誘導体（８）を軸支し、該誘導体（８）をガイド孔を通過する遊戯球が当たって側方へ流れを変更するようにガイド孔（２）に臨ませて左傾斜又は右傾斜状に取着した請求項１記載のパチンコ機。
【請求項４】
前記ゲート通過遊戯球の球誘導具の第１流路変更部（４）として、ベース（１）のガイド孔（２）の中心線に左右両面を遊戯球を誘導する流路（９ａ）とした誘導体（９）を軸支し、該誘導体（９）をガイド孔を通過する遊戯球が当たって側方へ流れを変更するようにガイド孔（２）に臨ませて左傾斜又は右傾斜状に取着した請求項１記載のパチンコ機。
【請求項５】
前記ゲート通過遊戯球の球誘導具の第２流路変更部（５）として、ベース（１）に第１流路変更部（４）によって流出方向を変更した球の流れる方向を変更する流路（１０ａ）を有する突部（１０）を設けた請求項１記載のパチンコ機。
【請求項６】
前記突部（１０）を山型として、第１流路変更部（４）の向きを左又は右とした時に遊戯球を左又は右へ誘導しうるように両側へ傾斜した流路（１０ａ）を設けた請求項５記載のパチンコ機。
【発明の詳細な説明】
【技術分野】
【０００１】
この発明はパチンコ機の従来機、ＣＲ機等の遊戯板面に設けてあるゲートを通過する遊戯球の流れる方向を第１、第２の流路変更部で変化に富ませたゲート通過遊戯球の球誘導具を設けたパチンコ機に関する。
【背景技術】
【０００２】
パチンコ機の従来機、ＣＲ機ではセンター液晶デジタル装置の両側、或いは片側に設けたゲートを遊戯球が通過すると、スタートチャッカーの開閉時間を決めるミニデジタル器の数字が変動し、所定の数字、例えば、３、７で止まると、センター液晶デジタル装置の下方の中央スタートチャッカーが所定時間開放され、そのチャッカーに遊戯球が入賞するとセンター液晶デジタル装置に表示された数字、絵等が変動して停止し、大当たりすると下部のアタッカーが所定時間開放されるものがある。
【０００３】
この従来のミニデジタル器の始動用のゲートは、図９に示すようにベース１０１に断面コ字型ゲート１０２を設けて遊戯球を通過させる円形のガイド孔１０３を設けた近接スイッチを取り付けただけのものが大半で、その場合にはそのガイド孔１０３の下方に球を左側又は右側に斜めに流出させるように釘１０４を山型に配列して打ち、それから中央スタートチャッカーＣの方へ遊戯球を導くために多数の釘を一列に細かく隣接して配列し、ゲートより落下した球をスタートチャッカーの方へ導き、チャッカーに入賞する機会を与えるようにしてある。
【発明の開示】
【発明が解決しようとする課題】
【０００４】
従来のゲートでは、ゲートを通過する遊戯球を例えば中央スタートチャッカーの方に流すため、遊戯盤の中央の役物の左側又は右側のゲートに対応して山型に配列する釘を図９に示すようにゲートの中心の左寄り、又は右寄りに打たねばならないので、釘の位置決めをその都度しなければならず、甚だ手間がかかり不都合であった。又、ゲートの下方に山型の釘が配置されているだけで、外観が貧弱であり、しかも山型の釘の場合、ガイド孔から落下する球が釘に当たってその衝撃で減速してしまい、球が釘の隙間より落下しようとするので、図のように中央スタートチャッカーの方へ遊戯球を導くために多数の釘を一列に隣接して配列して球が釘に沿って転動するようにしなければならず、この釘の山型とそれに続いて一列に配列するのに釘の間隔のゲージ調整が面倒で手間がかかり、不都合であった。しかも図のように遊戯盤の中央部で釘を斜め一列に隣接して設けると球の落ちる隙間がなく、他から転動する打球までもがこの一列の釘で受け止められてしまい、下方の入賞球受入れ口には球が回りにくく興味をそがれていた。
【０００５】
ベースに左向き、又は右向きのガイド板を一体形成したものでは、左用と右用を別々に製作しなければならず、遊戯盤の役物の両側に取付ける際に左用と右用を間違えて取付けた時には付け直さなければならないので、不便であった。さらに、成形時に一度に左用と右用を型で成形するため、ゲームによっては中央のチャッカーに向かって遊戯盤の役物の片側だけに左用或いは右用を取付ける場合があり、その場合には片方だけ使用されて他方は使用されず、多量の在庫を生じさせ、使用しない方のガイドは大量のごみとなるのでその点で不都合であった。
【０００６】
この発明はこのような問題を解決するもので、ベースのゲートの下方に遊戯球の流れる方向を変える第１、第２の流路変更部を備えたゲート通過遊戯球の球誘導具を設け、ゲートのガイド孔を通過する遊戯球が２つの流路変更部で流れる方向を変換して変化に富ませ、遊戯者の興味を増大し、しかも左右共用として無駄をなくし、経済的としたパチンコ機を提供することを目的とする。
【課題を解決するための手段】
【０００７】
この発明の請求項１のパチンコ機は、上部に遊戯球が通過するガイド孔２を有するゲート３を設けたベース１のゲート３の下方にガイド孔２を通過する遊戯球の流れる方向を変更する第１流路変更部４と、該第１流路変更部４で流れる方向を変更した遊戯球の流れる方向をさらに変更する第２流路変更部５とを備えたゲート通過遊戯球の球誘導具を設けたものである。
【０００８】
請求項２の発明は、前記ゲート通過遊戯球の球誘導具の第１流路変更部４として、ベース１のゲート３の下方に設けた任意形状の貫通孔６にガイド孔２を通過する遊戯球の流れを側方へ変更しうる誘導面７ａを設けた誘導体７を左向き、又は右向きに向きを変換して嵌合取着しうるようにしたものである。
【０００９】
請求項３の発明は、前記ゲート通過遊戯球の球誘導具の第１流路変更部４として、ベース１のガイド孔２の中心線の左又は右に偏位した位置に左右両面を遊戯球を誘導する流路８ａとした誘導体８を軸支し、該誘導体８をガイド孔を通過する遊戯球が当たって側方へ流れを変更するようにガイド孔２に臨ませて左傾斜又は右傾斜状に取着したものである。
【００１０】
請求項４の発明は、前記ゲート通過遊戯球の球誘導具の第１流路変更部４として、ベース１のガイド孔２の中心線に左右両面を遊戯球を誘導する流路９ａとした誘導体９を軸支し、該誘導体９をガイド孔を通過する遊戯球が当たって側方へ流れを変更するようにガイド孔２に臨ませて左傾斜又は右傾斜状に取着したものである。
【００１１】
請求項５の発明は、前記ゲート通過遊戯球の球誘導具の第２流路変更部５として、ベース１に第１流路変更部４によって流出方向を変更した球の流れる方向を変更する流路１０ａを有する突部１０を設けたものであり、請求項６の発明は、前記突部１０を山型として両側へ傾斜した流路１０ａを設けたものである。
【発明の効果】
【００１２】
この発明の請求項１のパチンコ機によれば、第１、第２の流路変更部を備えたゲート通過遊戯球の球誘導具でガイド孔を通過して落下する遊戯球の流れる方向を２度変更させることができるので、ゲート通過遊戯球の流れが変化に富んで興味深いものとなり、しかも２度の流路変更で中央スタートチャッカーの方に勢いをつけて排出でき、ゲートとチャッカー間の釘の位置はある程度の間隔をあけても勢いで跳ねて中央チャッカーの方へ向かわせることができ、他から落下する球は釘の間を通って落下して下方の入賞球受入れ口に入賞する機会もでき、入賞のチャンスを変化に富ませることができ、遊戯者の興味を増大できる。
【００１３】
請求項２の発明によれば、前記効果のほか、共通のベースの貫通孔に誘導体の誘導面の向きを左向き、又は右向きとして嵌合取着できるので、左右の誘導体を別々に製作する必要はなく、左用、右用に変換して取付けでき、従って部品点数が少なく、製品を廉価に製造できる。パチンコ機によりゲートを設ける位置が役物の両側、片側となる場合にそれに応じて誘導体の向きを反対にするだけでよいので、誘導体の無駄が生じることがなく、経済的である。
【００１４】
請求項３の発明では、前記効果のほか、共通のベースのガイド孔の中心線の左又は右に偏位した位置に誘導体を左傾斜、又は右傾斜として取着でき、又請求項４の発明では、共通のベースのガイド孔の中心線に誘導体を左傾斜、又は右傾斜として取着できるので、左右の誘導体を別々に製作する必要はなく、左用、右用に変換して取付けでき、従って部品点数が少なく、製品を廉価に製造できる。
【００１５】
請求項５の発明によれば、前記第２流路変更部として、ベースの第１流路変更部の直下に流路を有する突部を設けたので、第１流路変更部４で流れる方向を変えた球をさらにこの第２の流路変更部の流路で方向づけするとともに傾斜面の作用で勢いを付けて中央チャッカーの方に向かわせることができる。また、請求項６の発明によれば、その突部を山型としたので、第１流路変更部の取付け位置を左又は右に変えた時、第１流路変更部からの球を第２流路変更部の左又は右傾斜に沿って方向づけし、勢いをつけて流出させることができる。
【発明を実施するための最良の形態】
【００１６】
この発明のパチンコ機の実施の形態は、ベース１の上部に設けたゲート３にガイド孔２を有する近接スイッチ１１を備え、ガイド孔２を遊戯球が通過すると、スタートチャッカーの開閉時間を決めるミニデジタル器の数字が変動し、小当たりの所定の数字、例えば、３、７で止まると、役物の下方の中央スタートチャッカーが所定時間開放され、そのチャッカーに遊戯球が入賞すると役物の数字、絵が変動停止し、数字、絵が一致した大当たりで下部のアタッカーが所定時間開放されるようにしてある。このようにゲート３を設けたベース１のゲート３の下方に第１流路変更部４として、ベース１のゲート３の下方に設けた円形の貫通孔６にガイド孔２を通過する遊戯球の流れを側方へ変更しうる誘導面７ａを設けた円形の誘導体７を左向き、又は右向きに向きを変換して嵌合取着できるようにし、かつベース１の下部に、第２流路変更部５として、ベース１に第１流路変更部４によって流出方向を変更した球の流れる方向を変更する流路１０ａを有する山型突部１０を設け、ガイド孔２を通過して落下する遊戯球を第１流路変更部４の誘導面７ａで流れる方向を変更し、その下方に関連して設けた第２流路変更部５の傾斜状流路１０ａで球の流れる方向をさらに変更できるようにして、変化に富ませるようにする。
【００１７】
別の実施形態として、前記第１流路変更部４として、ベース１のガイド孔２の中心線の左又は右に偏位した位置に左右両面を遊戯球を誘導する流路８ａとした誘導体８を軸支し、該誘導体８をガイド孔を通過する遊戯球が当たって側方へ流れを変更するようにガイド孔２の下方に臨ませて左傾斜又は右傾斜状に取着し、それに前記実施形態と同様にベース１の下部に、第２流路変更部５の山型突部１０を設け、ガイド孔２を通過して落下する遊戯球を第１流路変更部４の誘導体８の流路８ａで流れる方向を変更し、その下方に関連して設けた第２流路変更部５の傾斜状流路１０ａで球の流れる方向をさらに変更できるようにして、変化に富ませるようにする。
【００１８】
さらに、別の実施形態として、前記第１流路変更部４として、ベース１のガイド孔２の中心線に左右両面を遊戯球を誘導する流路９ａとした誘導体９を軸支し、該誘導体９をガイド孔を通過する遊戯球が当たって側方へ流れを変更するようにガイド孔２に臨ませて左傾斜又は右傾斜状に取着し、それに前記実施形態と同様にベース１の下部に、第２流路変更部５の山型突部１０を設け、ガイド孔２を通過して落下する遊戯球を第１流路変更部４の誘導体９の流路９ａで流れる方向を変更し、その下方に関連して設けた第２流路変更部５の傾斜状流路１０ａで球の流れる方向をさらに変更できるようにして、変化に富ませるようにする。
【実施例】
【００１９】
以下にこの発明のパチンコ機を図面に示す実施例に基づいて説明する。
図１乃至図７において、１は合成樹脂製ベースで、その上部に近接スイッチ１１用の貫通孔１２、ベースの取付け孔１３を設ける。３は横断面をコ字形に設けたゲートで、ベース上部前面に螺子等で取付け、先端に遊戯球が通過する円形のガイド孔２を有し、遊戯球の通過を検知してスタートチャッカーＣの開閉を決めるデジタル器Ｂにスタート信号を送る近接スイッチ１１を貫通孔１２を通じてゲート３に挿入設置してある。又６はベース１のゲート３のガイド孔２の直下に設けた円形の貫通孔６である。この貫通孔６は後述の第１流路変更部４の円形誘導体７の形状に合致させるように円形としたが、貫通孔と誘導体はこの形状に限定されるものではなく、楕円形、四角形など任意の形状にできる。
【００２０】
４はガイド孔２を通過する遊戯球の流れる方向を変更する第１流路変更部４で、図１および図４に示す実施例１では片側に円弧状の誘導面７ａを一体形成した円形の合成樹脂製誘導体７とし、左右反対に使用しても誘導面７ａが左右の対称位置に位置するようにし、ベース１に設けた円形の貫通孔６に誘導体７を左向き、又は右向きに向きを変換して嵌合取着しうるようにしてある。この円形の誘導体７を貫通孔６に左右反対にして取付ける構造は、図３に示すように貫通孔６の両側の対称位置に嵌合溝１４を穿ち、誘導体７にはその両側に嵌合溝１４に嵌合しうる突起１５を設け、誘導体７の誘導面７ａの向きを左向き、又は右向きとして貫通孔６に嵌合して取付部１６をねじで固定する。誘導体７の誘導面７ａを円弧面とすれば、ガイド孔２より落下する球が誘導面に当るとき、滑めらかな円弧面に沿って流れるので、衝撃が小さく、誘導体の破損率を低くできる。実施例では誘導面７ａを円弧状としてあるが、これに限られるものではなく、片側へ傾斜した傾斜面等でもよい。
【００２１】
又、第１流路変更部４として、図５および図６に示す別の実施例２では、左右両面を遊戯球を誘導する流路８ａとした合成樹脂製誘導体８とし、この下部をベース１のガイド孔２の中心線の左又は右に偏位した位置で軸１７で軸支し、ガイド孔より落下する遊戯球が当たる位置に臨ませるように左傾斜又は右傾斜状として取着してある。実施例では、ベース１のガイド孔２の中心線の左右対称位置に軸１７の取付け孔１８を設け、誘導体８を左傾斜又は右傾斜として位置決めして、その誘導体８の上端を裏面で螺子１９で固定してある。軸１７はピンとして、Ｅリングで止めるようにしてあるが、これに限定されるものではない。例えば、螺子で固定しても良い。また、螺子１９は裏面から螺合してあるが、これもこれに限定されるものではなく、正面から螺子止め等で固定することもできる。又誘導体の前面には軸１７等を隠すために意匠的シール（図示せず）を貼付しておけば外観が映え、商品価値を向上できる。
【００２２】
又、第１流路変更部４として、図７に示す別の実施例では、第１流路変更部４として、左右両面を遊戯球を誘導する流路９ａとした合成樹脂製誘導体９とし、この下部をベース１のガイド孔２の中心線に軸２０で軸支し、ガイド孔より落下する遊戯球が当たる位置に臨ませるように左傾斜又は右傾斜状として取着してある。実施例では、ベース１のガイド孔２の中心線に軸２０の取付け孔を設け、誘導体９を左傾斜又は右傾斜として位置決めして、その誘導体９の上端を裏面で螺子２１で固定してある。軸２０はピンとして、Ｅリングで止めるようにしてあるが、前記実施例と同様これに限定されるものではない。
【００２３】
図５乃至図７の実施例の誘導体８、９の両面の流路８ａ、９ａを湾曲面としておけば、ガイド孔２より落下する球が流路に当るとき、滑めらかな湾曲面に沿って流れるので、衝撃が小さく、誘導体８、９の破損率を低くできる。又実施例で両面の流路８ａ、９ａは対称として、左又は右傾斜としたとき、同じ傾斜となるようにしてあるが、これに限られるものではなく両面の流路８ａ、９ａの傾斜を変えたものでもよい。
【００２４】
５は第１流路変更部４で流れる方向を変更した遊戯球の流れる方向をさらに変更する第２流路変更部で、図１乃至図７に示す実施例では、球を左右に流出させるように傾斜した流路１０ａを有する山型突部１０を合成樹脂製ベース１の下部の前記第１流路変更部４の直下に一体形成し、第１流路変更部の誘導面、流路からの球を円滑に受けて方向づけし、勢いをつけて流出するようにしてある。すなわち、流路１０ａは球が滑り落ちるように傾斜面、湾曲面とする。また突部１０は左右に球を誘導できるように、山形の突部としてあるが、これに限定されるものではなく、左側、右側にそれぞれ別に傾斜した流路を有する突部を設けてもよく、また、ベース１に一体に設けてあるが、これに限定されるものではなく、別体として螺子、接着剤等で取付けるようにしても良い。又図７の実施例では、突部１０の頂部に円弧状凹部２２を設けて、凹部２２に誘導体９の基部を軸２０で回動自由に軸支してある。凹部２２を設けたのは、突部１０の流路１０ａを第１流路変更部４の誘導体９に近づけて、流路９ａと流路１０ａを連続的な曲面とするためである。
【００２５】
実施例１、２、３で突部５は山型として、誘導体７、８、９の向きを変えた時に、その誘導体の誘導面、流路の曲面と山型突部の曲面を連続的として球が滑らかに流れるようにして、球の向きを円滑に変えることができるようにする。このようにすれば突部が受ける衝撃を小さくでき、突部の破損率を低くできる。
【００２６】
上記実施例において、第１流路変更部、第２流路変更部の前面に意匠的シールを貼付け、又は透明、半透明として内部よりＬＥＤ、電球等の照明手段で照明すれば、外観が映え、カラフルで遊戯者を楽しませることができ、商品価値を向上できる。
【００２７】
図８において、Ａはパチンコ機の遊戯盤、Ｂはミニデジタル器、Ｃは中央スタートチャッカー、Ｄはセンター液晶デジタル装置、Ｅはアタッカーである。ゲートとチャッカー間の釘２３は図のように斜めに多少ずらせ、かつ釘の間隔は球が通る間隔に配列でき、釘の配置のデザインに変化をもたせることができる。釘の間隔はこれに限られるものではなく、従来のように隣接して配列してもよい。図８の遊戯盤には本案に関係しない釘、役物等は省略した。
【００２８】
この発明によれば、遊戯盤の中央の役物、例えば、センター液晶デジタル装置Ｄの両側或いは片側に設けたゲート３のガイド孔２を遊戯球が通過すると、中央スタートチャッカーＣの開閉時間を決めるミニデジタル器の数字が変動し、小当たりの所定の数字、例えば、３、７で止まると、中央スタートチャッカーＣが所定時間、例えば、０．２〜０．９秒間開放され、図１および図４の実施例１によればガイド孔２より落下した遊戯球は誘導面７ａを設けた円形の誘導体７に当たって流れる方向を変換し、次いで山型突部１０に当たってその山型突部の傾斜状流路１０ａで球の流れる方向をさらに変更して、変化に富ませることができる。又、誘導体７の向きを変えて嵌め替えるだけで、誘導面を左向き又は右向きにし、第２流路変更部の山型突部１０の左又は右傾斜の流路１０ａを利用して左行き又は右行きに球の流れを変えることができる。
【００２９】
図５および図６の実施例２によれば、ガイド孔を通過する遊戯球が流路８ａを有する誘導体８に当たって流れる方向を変換し、次いで山型突部１０に当たってその山型突部の傾斜状流路１０ａで球の流れる方向をさらに変更して、変化に富ませることができる。
【００３０】
図７の実施例３によれば、ガイド孔を通過する遊戯球が流路９ａを有する誘導体９に当たって流れる方向を変換し、次いで山型突部１０に当たってその山型突部の傾斜状流路１０ａで球の流れる方向をさらに変更して、変化に富ませることができる。実施例２と３も誘導体８、９の傾斜の向きを変えて取着するだけで、前記実施例と同じく、下部の山型突部１０の左又は左傾斜の流路１０ａを利用して左行き又は右行きに球の流れを変えることができる。
【図面の簡単な説明】
【００３１】
【図１】この発明のパチンコ機のゲート通過遊戯球の球誘導具の一実施例１を示す一部破断正面図である。
【図２】同縦断面図である。
【図３】べースの背面図である。
【図４】円形誘導体の正面図である。
【図５】この発明の球誘導具の別の実施例２を示す一部破断正面図である。
【図６】同縦断面図である。
【図７】この発明の球誘導具の別の実施例３を示す一部破断正面図である。
【図８】この発明のパチンコ機のゲート通過遊戯球の球誘導具を取付けたパチンコ遊戯盤の正面図である。
【図９】従来のパチンコ遊戯盤に取付けたゲートの正面図である。
【符号の説明】
【００３２】
１…ベース、２…ガイド孔、３…ゲート、４…第１流路変更部、５…第２流路変更部、６…貫通孔、７…誘導体、７ａ…誘導面、８…誘導体、８ａ…流路、９…誘導体、９ａ…流路、１０…突部、１０ａ…流路。
【図１】
2005111291.tif 000003
【図２】
2005111291.tif 000004
【図３】
2005111291.tif 000005
【図４】
2005111291.tif 000006
【図５】
2005111291.tif 000007
【図６】
2005111291.tif 000008
【図７】
2005111291.tif 000009
【図８】
2005111291.tif 000010
【図９】
2005111291.tif 000011